(57)【要約】【課題】美観を損なうことなく剛性および強度を確保しやすい新規な構造のグリル状カバーを得る。【解決手段】グリル状カバー１は、略一定幅を有して格子状に配置される表側リブ３と、表側リブ３の裏に配置される裏側リブ（４Ａ，４Ｂ，４Ｃ）と、を備え、裏側リブ（４Ａ，４Ｂ，４Ｃ）は、表側リブ３の複数本おきに配列されて当該表側リブ３より幅の広い幅広リブ（４Ｂ，４Ｃ）を含む。【選択図】図２
2008109401.tif 000002
【特許請求の範囲】
【請求項１】
略一定幅を有して格子状に配置される表側リブと、
前記表側リブの裏に配置される裏側リブと、
を備え、
前記裏側リブは、前記表側リブより幅が広く当該表側リブの複数本おきに配列された幅広リブを含むことを特徴とするグリル状カバー。
【請求項２】
前記裏側リブは、前記表側リブより幅が狭く複数の幅広リブ間で表側リブに対応して配置された幅狭リブを含むことを特徴とする請求項１に記載のグリル状カバー。
【請求項３】
前記幅広リブは、所定のピッチで配列された背高リブと、当該背高リブより高さが低く背高リブ間に配置された背低リブと、を含むことを特徴とする請求項１または２に記載のグリル状カバー。
【請求項４】
前記表側リブと前記裏側リブとは、樹脂により成形されていることを特徴とする請求項１〜３のうちいずれか一つに記載のグリル状カバー。
【請求項５】
前記表側リブと前記裏側リブとは、スピーカの振動板の放射面を被覆するように設けられたことを特徴とする請求項１〜４のうちいずれか一つに記載のグリル状カバー。
【発明の詳細な説明】
【技術分野】
【０００１】
本発明は、グリル状カバーに関する。
【背景技術】
【０００２】
従来のグリル状カバーとして、平板状の部材に同一形状の穴を多数設けたスピーカグリルが知られている（例えば特許文献１）。
【特許文献１】特開平９−５１５９４号公報
【発明の開示】
【発明が解決しようとする課題】
【０００３】
上記従来のスピーカグリルでは、開口面積を増大させるには、各穴を大きくするか、穴の数を多数設けることが必要となるが、いずれの場合にも剛性および強度とのトレードオフとなる。また、各穴を大きくする場合には、その裏側の構造体（スピーカグリルの場合にはスピーカ）が見えてしまうという外観上の問題も生じる。
【０００４】
そこで、本発明は、美観を損なうことなく剛性および強度を確保しやすい新規な構造のグリル状カバーを得ることを目的とする。
【課題を解決するための手段】
【０００５】
本発明にあっては、略一定幅を有して格子状に配置される表側リブと、前記表側リブの裏に配置される裏側リブと、を備え、前記裏側リブは、前記表側リブより幅が広く当該表側リブの複数本おきに配列された幅広リブを含むことを最も主要な特徴とする。
【発明の効果】
【０００６】
本発明によれば、表側リブより幅の広い幅広リブを表側リブの複数本おきに配列したことによって、表側リブより大きなピッチで格子状に配列された幅広リブが表側から部分的に見えることになり、表側リブより剛性および強度の高い幅広リブを美観を損なうことなく効果的に配置して、グリル状カバーの剛性および強度を確保することができる。
【発明を実施するための最良の形態】
【０００７】
以下、本発明の実施形態について図面を参照しながら詳細に説明する。図１は、本実施形態にかかるグリル状カバーを装着したドアトリムの概略図（側面図）、図２は、グリル状カバーの斜視図、図３は、図２のIII−III断面図である。
【０００８】
本実施形態にかかるグリル状カバー１は、自動車等の車両のドアトリム２に形成された略矩形状の開口部２ａに嵌め込まれており、ドアトリム２の裏側に設けられるスピーカ１０の振動板の放射面を被覆するスピーカグリルとして構成されている。
【０００９】
このグリル状カバー１は、合成樹脂によって一体成形されており、表側（表面側）には、略一定幅（ｗ３；図３）を有して格子状に配置される表側リブ３が配置される。具体的には、表側リブ３は、縦桟および横桟ともに、表側に向けて細くなる略台形状の一定の断面を有するとともに、縦横とも同一のピッチで配列されており、各単位格子は正面視で正方形状となっている。
【００１０】
そして、表側リブ３の裏に、裏側リブ（４Ａ，４Ｂ，４Ｃ）が突設されている。裏側リブ（４Ａ，４Ｂ，４Ｃ）は、全て表側リブ３に対応して設けられており、したがって、各単位格子は裏面視で正方形状となっている。
【００１１】
ただし、本実施形態では、裏側リブ（４Ａ，４Ｂ，４Ｃ）として、幅や高さの異なる合計三種類のリブを設けている。具体的には、裏側リブ（４Ａ，４Ｂ，４Ｃ）は、表側リブ３の幅ｗ３より幅狭の幅狭リブ４Ａ（幅：ｗ４Ａ＜ｗ３）と、表側リブ３の幅ｗ３より幅広の幅広リブ（４Ｂ，４Ｃ）（幅：ｗ４Ｂ＝ｗ４Ｃ＞ｗ３）とを含み、さらに幅広リブ（４Ｂ，４Ｃ）は、高さの高い背高リブ４Ｂと、当該背高リブ４Ｂより高さの低い背低リブ４Ｃとを含んでいる。
【００１２】
そして、本実施形態では、幅狭リブ４Ａと幅広リブ（４Ｂ，４Ｃ）とを交互に配置している。すなわち、幅広リブ（４Ｂ，４Ｃ）は、表側リブ３の二本おきに一定のピッチで配列されており、幅狭リブ４Ａは、それら幅広リブ（４Ｂ，４Ｃ）の間を埋める形で表側リブ３に対応して配置されている。
【００１３】
かかる幅広リブ（４Ｂ，４Ｃ）は、表側リブ３より幅が広いため、正面視で表側から透けて見えることになる。本実施形態では、縦桟、横桟ともに、幅広リブ（４Ｂ，４Ｃ）が二本おきに設置されているため、幅広リブ（４Ｂ，４Ｃ）によって表側リブ３による単位格子四マス分の枠が形成されているように見えることになる。
【００１４】
さらに、本実施形態では、幅広リブ（４Ｂ，４Ｃ）に、背高リブ４Ｂと背低リブ４Ｃとを交互に含ませている。具体的には、背高リブ４Ｂおよび背低リブ４Ｃともに、表側リブ３の四本おきに配置されるとともに、相互に隣接する背高リブ４Ｂ，４Ｂ同士の丁度中間位置に、背低リブ４Ｃが配置されている。すなわち、幅広リブ（４Ｂ，４Ｃ）は、表側リブ３の四本おきに一定のピッチで配置された背高リブ４Ｂと、相互に隣接する背高リブ４Ｂ，４Ｂ間で配置された背低リブ４Ｃとを含んでいることになる。
【００１５】
ここで、上述したように、幅広リブ（４Ｂ，４Ｃ）は、表側リブ３より幅が広いため、表側から透けて見えることになるが、さらに背高リブ４Ｂと背低リブ４Ｃとで高さが異なるため、正面方向に対して若干ずれた角度からの斜め正面からの視線では、背高リブ４Ｂと背低リブ４Ｃとが別の枠を成しているように見えることになる。本実施形態では、背高リブ４Ｂが、縦桟、横桟ともに、四本おきに配置されているため、この背高リブ４Ｂによって表側リブ３による単位格子１６マス分の枠が形成されているように見え、さらに、背低リブ４Ｃが、縦桟、横桟ともに、四本おきに設置されているため、この背低リブ４Ｃによって表側リブ３による単位格子１６マス分の枠が形成されているように見える。そして、背高リブ４Ｂによる枠と、これと同じ大きさの背低リブ４Ｃによる枠とが、縦横に枠の半分だけ相互にずれて配置されているように見えることになる。
【００１６】
なお、幅狭リブ４Ａは、表側リブ３より幅を狭く、さらに、幅広リブ（４Ｂ，４Ｃ）よりも高さを低くすることによって、当該表側リブ３の裏に隠れて表側からは見えにくくしてある。
【００１７】
以上の本実施形態によれば、表側リブ３の裏に、表側リブ３より幅の広い幅広リブ（４Ｂ，４Ｃ）を表側リブ３の複数本おきに配列したことによって、表側リブ３より大きなピッチ（本実施形態では表側リブ３の四マス分）の格子状に配列された幅広リブ（４Ｂ，４Ｃ）が表側から部分的に見えることになり、表側リブ３より剛性および強度の高い幅広リブ（４Ｂ，４Ｃ）を美観を損なうことなく効果的に配置して、グリル状カバー１の剛性および強度を確保することができる。
【００１８】
また、本実施形態によれば、裏側リブ（４Ａ，４Ｂ，４Ｃ）は、相互に隣接する複数の幅広リブ（４Ｂ，４Ｃ）間で表側リブ３に対応して配置されて当該表側リブ３より幅の狭い幅狭リブ４Ａを含むため、幅広リブ（４Ｂ，４Ｃ）を設けない部分でも幅狭リブ４Ａによって剛性および強度を向上させることができる。すなわち、本実施形態では、幅狭リブ４Ａを表側リブ３の裏に隠して見えにくくすることで相対的に幅広リブ（４Ｂ，４Ｃ）による格子を際立たせながら、この幅狭リブ４Ａによっても剛性および強度の向上を図っているのである。
【００１９】
また、本実施形態によれば、幅広リブ（４Ｂ，４Ｃ）が、所定のピッチで配列された背高リブ４Ｂと、当該背高リブ４Ｂより高さが低く相互に隣接する背高リブ４Ｂ，４Ｂ間で配置された背低リブ４Ｃと、を含むため、斜め正面からの視線で、背高リブ４Ｂによる格子（枠）と、背低リブ４Ｃによる格子（枠）とが別の枠として見えることになり、その分、意匠性を高めることができる。
【００２０】
また、本実施形態では、グリル状カバー１を樹脂を成形して表側リブ３および裏側リブ（４Ａ，４Ｂ，４Ｃ）を一体に構成したため、フレームとメッシュとを重ね合わせる場合に比べて、部品点数を少なくするとともに構成を簡素化して製造コストを低減することができる。
【００２１】
以上、本発明の好適な実施形態について説明したが、本発明は上記実施形態には限定されず種々の変形が可能である。例えば、各リブの断面形状は台形状以外の形状としてもよいし、幅広リブや、背高リブ、背低リブのピッチを変更してもよい。
【図面の簡単な説明】
【００２２】
【図１】本実施形態にかかるグリル状カバーを装着したドアトリムの概略図（側面図）。
【図２】本実施形態にかかるグリル状カバーの斜視図。
【図３】図２のIII−III断面図。
【符号の説明】
【００２３】
１  グリル状カバー
３  表側リブ
４Ａ  幅狭リブ（裏側リブ）
４Ｂ  背高リブ（幅広リブ；裏側リブ）
４Ｃ  背低リブ（幅広リブ；裏側リブ）
【図１】
2008109401.tif 000003
【図２】
2008109401.tif 000004
【図３】
2008109401.tif 000005